(57)【要約】【課題】画像の変化が激しいフレームを含む映像であっても、現用系と予備系の切り替えをシームレスに行う映像ストリーム切り替えシステム等を提供する。【解決手段】外部から入力される映像信号に対して符号化処理を行ってトランスポートストリームを出力する複数系統のエンコーダ２ａ〜ｂと、各エンコーダから出力されるトランスポートストリームのうちのいずれか一方を選択して切り替えるＴＳ切り替え手段３とを備え、各エンコーダに、切り替えを実行すると画質劣化を引き起こしうる状態のフレームが映像信号のＧＯＰに含まれるか否かを判断する事前解析手段４ａ〜ｂを併設し、外部から系統切り替え指令が入力され、画質劣化を引き起こしうる状態のフレームが含まれると事前解析手段が判断した場合に、当該ＧＯＰの直後のＧＯＰでトランスポートストリームの切り替えを実行させる制御手段５を有する。【選択図】図１
2014165618.tif 000002
【特許請求の範囲】
【請求項１】
外部から入力される映像信号に対して符号化処理を行ってトランスポートストリームを出力する複数系統のエンコーダと、前記各エンコーダから出力されるトランスポートストリームのうちのいずれか一方を選択して切り替え、外部への出力とするＴＳ切り替え手段とを備え、
前記各エンコーダに、前記ＴＳ切り替え手段が前記トランスポートストリームの切り替えを実行すると画質劣化を引き起こしうる状態のフレームが前記映像信号のＧＯＰ（Group Of Picture）に含まれるか否かを判断する事前解析手段を併設し、
外部から系統切り替え指令が入力され、当該系統切り替え指令の行われた時点の前記映像信号のＧＯＰに前記画質劣化を引き起こしうる状態のフレームが含まれると前記事前解析手段が判断した場合に、当該ＧＯＰの直後のＧＯＰで前記トランスポートストリームの切り替えを前記ＴＳ切り替え手段に実行させる制御手段を有すること、を特徴とする映像ストリーム切り替えシステム。
【請求項２】
前記各エンコーダに、前記事前解析手段による処理に必要な時間だけ前記映像信号を遅延させて前記ＴＳ切り替え手段に入力する遅延手段を併設したこと、を特徴とする請求項１に記載の映像ストリーム切り替えシステム。
【請求項３】
前記制御手段が、
外部から系統切り替え指令が入力された場合に、当該系統切り替え指令の行われた時点の前記映像信号のＧＯＰに前記画質劣化を引き起こしうる状態のフレームが含まれているか否かを前記事前解析手段に判断させる制御を行う事前解析制御機能と、
前記画質劣化を引き起こしうる状態のフレームが含まれると前記事前解析手段が判断した場合に、当該ＧＯＰの間は画質を維持する動作を前記エンコーダに指示するエンコーダ制御機能と、
当該ＧＯＰの直後のＧＯＰで前記トランスポートストリームの切り替えを前記ＴＳ切り替え手段に実行させるＴＳ切り替え制御機能と
を有すること、を特徴とする請求項２に記載の映像ストリーム切り替えシステム。
【請求項４】
前記制御手段の前記エンコーダ制御機能が、前記画質劣化を引き起こしうる状態のフレームが含まれないと前記事前解析手段が判断した場合には当該ＧＯＰの最後で前記トランスポートストリームの切り替えが行えるよう符号量を調節する動作を前記エンコーダに指示し、前記画質劣化を引き起こしうる状態のフレームが含まれると前記事前解析手段が判断した場合には当該ＧＯＰの直後のＧＯＰの最後で前記トランスポートストリームの切り替えが行えるよう符号量を調節する動作を前記エンコーダに指示すること、を特徴とする請求項３に記載の映像ストリーム切り替えシステム。
【請求項５】
前記エンコーダおよび前記事前解析手段が、前記各系統ごとに一体化されたエンコード装置であること、を特徴とする請求項１に記載の映像ストリーム切り替えシステム。
【請求項６】
外部から入力される映像信号に対して符号化処理を行ってトランスポートストリームを出力する複数系統のエンコーダと、前記各エンコーダから出力されるトランスポートストリームのうちのいずれか一方を選択して切り替え、外部への出力とするＴＳ切り替え手段とを備えた、映像ストリーム切り替えシステムにあって、
外部から系統切り替え指令が入力された場合に、前記各エンコーダに併設された事前解析手段に対して事前解析制御機能が制御信号を発し、
当該制御信号を受けた事前解析手段が、前記ＴＳ切り替え手段が前記トランスポートストリームの切り替えを実行すると画質劣化を引き起こしうる状態のフレームが前記映像信号のＧＯＰ（Group Of Picture）に含まれるか否かを判断し、
前記画質劣化を引き起こしうる状態のフレームが含まれると前記事前解析手段が判断した場合に、当該ＧＯＰの間は画質を維持し、当該ＧＯＰの直後のＧＯＰの最後で前記トランスポートストリームの切り替えが行えるよう符号量を調節する動作をエンコーダ制御機能が前記エンコーダに指示し、
前記符号量を調節したＧＯＰの最後でＴＳ切り替え制御機能が前記ＴＳ切り替え手段に前記トランスポートストリームの切り替えを行う制御信号を発すること、を特徴とする映像ストリーム切り替え方法。
【請求項７】
前記画質劣化を引き起こしうる状態のフレームが含まれないと前記事前解析手段が判断した場合に、当該ＧＯＰの最後で前記トランスポートストリームの切り替えが行えるよう符号量を調節する動作を前記エンコーダ制御機能が前記エンコーダに指示し、
前記符号量を調節したＧＯＰの最後で前記ＴＳ切り替え制御機能が前記ＴＳ切り替え手段に前記トランスポートストリームの切り替えを行う制御信号を発すること、を特徴とする請求項６に記載の映像ストリーム切り替え方法。
【請求項８】
前記各エンコーダに併設された遅延手段が、前記事前解析手段による処理に必要な時間だけ前記映像信号を遅延させて前記ＴＳ切り替え手段に入力すること、を特徴とする請求項６に記載の映像ストリーム切り替え方法。
【請求項９】
外部から入力される映像信号に対して符号化処理を行ってトランスポートストリームを出力する複数系統のエンコーダと、前記各エンコーダから出力されるトランスポートストリームのうちのいずれか一方を選択して切り替え、外部への出力とするＴＳ切り替え手段とを備えた、映像ストリーム切り替えシステムにあって、
前記映像ストリーム切り替えシステムが備えるプロセッサに、
外部から系統切り替え指令が入力された場合に、前記各エンコーダに併設された事前解析手段に対して前記ＴＳ切り替え手段が前記トランスポートストリームの切り替えを実行すると画質劣化を引き起こしうる状態のフレームが前記映像信号のＧＯＰ（Group Of Picture）に含まれるか否かを判断する制御信号を発する手順、
前記画質劣化を引き起こしうる状態のフレームが含まれると前記事前解析手段が判断した場合に、当該ＧＯＰの間は画質を維持し、当該ＧＯＰの直後のＧＯＰの最後で前記トランスポートストリームの切り替えが行えるよう符号量を調節する動作を指示する手順、
および前記符号量を調節したＧＯＰの最後で前記ＴＳ切り替え手段に前記トランスポートストリームの切り替えを行う制御信号を発する手順を実行させること、を特徴とする映像ストリーム切り替えプログラム。
【請求項１０】
前記画質劣化を引き起こしうる状態のフレームが含まれないと前記事前解析手段が判断した場合に、当該ＧＯＰの最後で前記トランスポートストリームの切り替えが行えるよう符号量を調節する動作を前記エンコーダに指示する手順、
および前記符号量を調節したＧＯＰの最後で前記ＴＳ切り替え手段に前記トランスポートストリームの切り替えを行う制御信号を発する手順をさらに実行させること、を特徴とする請求項９に記載の映像ストリーム切り替えプログラム。
【発明の詳細な説明】
【技術分野】
【０００１】
本発明は、映像ストリーム切り替えシステム、映像ストリーム切り替え方法およびプログラムに関し、特に映像切り替えの際の画質の劣化を抑制しうる映像ストリーム切り替えシステム等に関する。
【背景技術】
【０００２】
日本国内では地上波テレビ放送がデジタル放送に完全移行したのに伴い、テレビ放送局の送信設備も、ほとんど全てデジタルの映像ストリーム信号を扱う機器に移行している。もちろん、地上波テレビ放送のみならず、衛星放送、ケーブルテレビ放送、光ファイバ回線などを介したＩＰＴＶ放送などでも、それらの送信設備は映像ストリーム信号を扱う機器である。
【０００３】
原則としてそれらの放送を停止することはできないので、たとえば送信設備のメンテナンス（定期的なものも緊急のものも含めて）が必要になった場合、あらかじめ用意された現用系および予備系という２系統の設備で、動作中の現用系を予備系に切り替えることがどうしても必要になる。この切り替えは、視聴者にそれが行われたことを気づかせないよう、シームレスに行う必要がある。
【０００４】
アナログの映像信号では、この切り替えで問題が発生することはない。また、デジタルの映像信号であっても非圧縮である場合、切り替えに関係する全ての装置や信号がフレーム周期を示す同期信号によって同期さえしていれば、同期信号のフレーム周期に従って切り替えを行う構成とすることで、受信機側に同期乱れなどを発生させることなく、現用系から予備系にシームレスに切り替えることは容易に可能である。
【０００５】
しかしながら、近年普及しているデジタル放送では、ＭＰＥＧ−２やＨ．２６４などの規格に則って映像信号の圧縮処理を行うエンコーダ装置が使われている。この圧縮処理では、動画を構成するフレームをその前後のフレームとの間の画像の動きに基づいてデータの圧縮を行っているので、これによって圧縮された映像信号をそのまま切り替えると、受信機側の映像に同期乱れに起因するモザイク状のノイズなどが発生することとなる。
【０００６】
ＭＰＥＧ−２などのような圧縮処理で、かつ、放送で使われるような高い圧縮率が要求される場合は、データ構造の異なるＩ／Ｐ／ＢピクチャでＧＯＰ（Group Of Picture）を構成するデータとすることが一般的である。ＧＯＰは、圧縮におけるデータ構造を示す。
【０００７】
符号化された映像信号データをシームレスに切り替えるためには、切り替え前後のデータをそれぞれ、ＧＯＰ単位で完結するクローズドＧＯＰとすることで、相互にデータを壊さないようなものにすることが必要である。かつ、切り替えを行うタイミングを、切り替え前のＧＯＰの最終データと切り替え後のＧＯＰの先頭データとの間とすることも必要である。
【０００８】
また、圧縮された映像信号データで、ピクチャごとの符号量は、符号化する映像の動きの激しさ、映像の複雑さ等によって変動する。特にＩ／Ｐ／Ｂピクチャで構成された映像信号データ、ピクチャのタイプの違いによっても、符号量は大きく変動する。ここで、ピクチャとは、一般に映像の１フレーム分が圧縮されたデータのことである。
【０００９】
さらに、圧縮処理を行うエンコーダは一般的に、符号化が完了した映像フレームの符号量を元に、次に符号化するフレームの符号量を求める方式を採用している。この方式においては、完全に同じタイミングで装置の電源を投入し、全く同じ映像で符号化を開始しない限り、同一の結果を得ることはできない。
【００１０】
加えて、デジタル放送などで一般的に使用されるデータ圧縮は、時間当たりのデータ量を一定とするＣＢＲ（Constant Bit Rate: 平均ビットレート）方式である。この方式では、放送試験用のカラーバー（テストパターン）などのような動きのほとんどない映像でもない限り、画質改善のためにＭＰＥＧ規格のＶＢＶバッファの範囲内で符号量を加減することが一般的に行われており、この場合にはＧＯＰ間はデータが途切れなく出力される。従って、ＧＯＰ間は「データの間欠状態」ではなく、ここでデータを切り替えてもシームレスな切り替えとはならない。
【００１１】
以上のような各々の要因から、通常の符号化処理によって圧縮された映像信号データでは、２台のエンコーダで相互に同期のとれたＧＯＰの切れ目を作り出すことは困難であり、２台のエンコーダを「シームレスに切り替える」ことは困難である。そのため、次に述べる図８で説明される手法が、既存の映像ストリーム切り替えシステムでは使われている。
【００１２】
図８は、既存の映像ストリーム切り替えシステム９１０の構成について示す説明図である。映像ストリーム切り替えシステム９１０は、外部から入力される映像信号に対して符号化処理を行ってトランスポートストリーム（ＴＳ）を出力する、現用系および予備系としての２系統のエンコーダを備える。これらを各々、現用系としてのエンコーダ９１１ａ、予備系としてのエンコーダ９１１ｂという。
【００１３】
そして、映像ストリーム切り替えシステム９１０は、エンコーダ９１１ａおよび９１１ｂから出力される各々のＴＳのうちのいずれか一方を選択して切り替え、外部への出力とするＴＳ切り替え手段９１２と、ＴＳ切り替え手段９１２によるＴＳの切り替えの動作を制御する制御手段９１３とを備える。
【００１４】
制御手段９１３は、コンピュータプログラムの実施主体となるプロセッサであり、制御プログラムによって、エンコーダ９１１ａおよび９１１ｂを制御するエンコーダ制御機能、およびＴＳ切り替え手段９１２を制御するＴＳ切り替え制御機能の各々として機能する。
【００１５】
制御手段９１３に対して系統切り替えの指令が外部から入力されると、まずエンコーダ９１１ａおよび９１１ｂに対して、ＧＯＰの開始から終わりまでのトータルで設定されたビットレートよりもＴＳの符号量が少なくなるよう、画質を抑制する制御信号を発する。エンコーダ９１１ａおよび９１１ｂはこの制御信号に応じて、画質を抑制してＴＳの符号量が少なくなるよう動作する。
【００１６】
この動作によって、そのＧＯＰと次のＧＯＰの間を、有効な符号化データの存在しない空白部分とすることができる。この状態となれば、エンコーダ９１１ａおよび９１１ｂの間で符号化データが全く同じとなっていなくても、人間が目で見てわかる程度の画質の劣化は生じないので、切り替えには特に問題が生じない状態となり、これらのエンコーダ相互間でデータをシームレスに切り替えることが可能となる。
【００１７】
この状態となってから、空白部分となったＧＯＰ間でＴＳを切り替えるよう、制御手段９１３はＴＳ切り替え手段９１２を動作させる。
【００１８】
これに関連して、次の各々の技術文献が存在する。その中でも特許文献１には、現用系のエンコーダが状態パラメータ情報を予備系のエンコーダに伝達して、シームレスな切り替えを可能とするという系統切り替えシステムが記載されている。特許文献２には、バッファに映像信号のパケットを保持し、切り替え可能なパケットに読み出し位置を変更して切り替え制御するという切り替え装置が記載されている。
【００１９】
特許文献３には、現用系と予備系の複数系統のエンコーダを切り替える際にフレームを間引き、位相を調整することによって、画質を低下させずにシームレスな切り替えを可能とするという切り替えシステムが記載されている。特許文献４には、条件に応じて切り替え方式を選択するという切り替え装置が記載されている。特許文献５には、切り替え直前の時点でＩＤＲ周期を短くするというエンコーダ装置と切り替え制御方法が記載されている。
【００２０】
特許文献６には、予備符号化と本符号化という２段階で符号化を行う２パスエンコーダを含む映像符号化装置が記載されている。特許文献７には、ＧＯＰ中のシーンチェンジを検出して画質の劣化が少ない点を編集ポイントとするという映像符号化装置が記載されている。
【先行技術文献】
【特許文献】
【００２１】
【特許文献１】特開２０００−２６９８６４号公報
【特許文献２】特開２００１−２１７７５３号公報
【特許文献３】特開２０１２−０４９５９４号公報
【特許文献４】特許第４４６７８２７号公報
【特許文献５】特許第４４９２５１８号公報
【特許文献６】特開２００３−０１８５９３号公報
【特許文献７】特開２００６−１２１４１５号公報
【発明の概要】
【発明が解決しようとする課題】
【００２２】
図８に示した既存の映像ストリーム切り替えシステム９１０では、入力される映像信号が通常の映像であれば、この空白部分を作るためにエンコーダに「画質を抑制するように」動作させた場合にも、人間が目で見てわかる程度の画質の劣化は発生しない。従って、空白部分となったＧＯＰ間でＴＳを切り替える際に、特に問題は発生しない。
【００２３】
しかしながら、たとえばシーンチェンジ（場面転換）、あるいは一部のスポーツ中継など、フレーム間の画像の変化が激しい映像では、通常の符号化ではその変化が激しい部分のみ一時的に符号量を増やして画質を維持する必要がある。
【００２４】
従って、このような画像を含むＧＯＰにＴＳ切り替え指令が重なった場合、エンコーダは「画質を抑制する」動作に入ってしまうので、「一時的に符号量を増やして画質を維持する」動作ができなくなる。そのため、モザイク状のノイズの発生など、目に見える画質劣化が発生することとなる。
【００２５】
この問題点を解決しうる技術は、前述の特許文献１〜７には記載されていない。特許文献３には、現用系と予備系の複数系統のエンコーダを切り替える際にフレームを間引く、あるいは位相を調整するなどのような技術は記載されている。しかしながら、これらの各文献はいずれもシーンチェンジなどに伴う上記の問題について言及しておらず、従ってこれらの文献に記載の技術の組み合わせでこの問題を解決することはできない。
【００２６】
本発明の目的は、画像の変化が激しいフレームを含む映像であっても、現用系と予備系の切り替えをシームレスに行うことを可能とする映像ストリーム切り替えシステム、映像ストリーム切り替え方法およびプログラムを提供することにある。
【課題を解決するための手段】
【００２７】
上記目的を達成するため、本発明に係る映像ストリーム切り替えシステムは、外部から入力される映像信号に対して符号化処理を行ってトランスポートストリームを出力する複数系統のエンコーダと、各エンコーダから出力されるトランスポートストリームのうちのいずれか一方を選択して切り替え、外部への出力とするＴＳ切り替え手段とを備え、各エンコーダに、ＴＳ切り替え手段がトランスポートストリームの切り替えを実行すると画質劣化を引き起こしうる状態のフレームが映像信号のＧＯＰ（Group Of Picture）に含まれるか否かを判断する事前解析手段を併設し、外部から系統切り替え指令が入力され、当該系統切り替え指令の行われた時点の映像信号のＧＯＰに画質劣化を引き起こしうる状態のフレームが含まれると事前解析手段が判断した場合に、当該ＧＯＰの直後のＧＯＰでトランスポートストリームの切り替えをＴＳ切り替え手段に実行させる制御手段を有すること、を特徴とする。
【００２８】
上記目的を達成するため、本発明に係る映像ストリーム切り替え方法は、外部から入力される映像信号に対して符号化処理を行ってトランスポートストリームを出力する複数系統のエンコーダと、各エンコーダから出力されるトランスポートストリームのうちのいずれか一方を選択して切り替え、外部への出力とするＴＳ切り替え手段とを備えた、映像ストリーム切り替えシステムにあって、外部から系統切り替え指令が入力された場合に、各エンコーダに併設された事前解析手段に対して事前解析制御機能が制御信号を発し、当該制御信号を受けた事前解析手段が、ＴＳ切り替え手段がトランスポートストリームの切り替えを実行すると画質劣化を引き起こしうる状態のフレームが映像信号のＧＯＰ（Group Of Picture）に含まれるか否かを判断し、画質劣化を引き起こしうる状態のフレームが含まれると事前解析手段が判断した場合に、当該ＧＯＰの間は画質を維持し、当該ＧＯＰの直後のＧＯＰの最後でトランスポートストリームの切り替えが行えるよう符号量を調節する動作をエンコーダ制御機能がエンコーダに指示し、符号量を調節したＧＯＰの最後でＴＳ切り替え制御機能がＴＳ切り替え手段にトランスポートストリームの切り替えを行う制御信号を発すること、を特徴とする。
【００２９】
上記目的を達成するため、本発明に係る映像ストリーム切り替えプログラムは、外部から入力される映像信号に対して符号化処理を行ってトランスポートストリームを出力する複数系統のエンコーダと、各エンコーダから出力されるトランスポートストリームのうちのいずれか一方を選択して切り替え、外部への出力とするＴＳ切り替え手段とを備えた、映像ストリーム切り替えシステムにあって、映像ストリーム切り替えシステムが備えるプロセッサに、外部から系統切り替え指令が入力された場合に、各エンコーダに併設された事前解析手段に対してＴＳ切り替え手段がトランスポートストリームの切り替えを実行すると画質劣化を引き起こしうる状態のフレームが映像信号のＧＯＰ（Group Of Picture）に含まれるか否かを判断する制御信号を発する手順、画質劣化を引き起こしうる状態のフレームが含まれると事前解析手段が判断した場合に、当該ＧＯＰの間は画質を維持し、当該ＧＯＰの直後のＧＯＰの最後でトランスポートストリームの切り替えが行えるよう符号量を調節する動作を指示する手順、および符号量を調節したＧＯＰの最後でＴＳ切り替え手段にトランスポートストリームの切り替えを行う制御信号を発する手順を実行させること、を特徴とする。
【発明の効果】
【００３０】
本発明は、上記したように、トランスポートストリームの切り替えを実行すると画質劣化を引き起こしうる状態のフレームが映像信号のＧＯＰに含まれる場合に、当該ＧＯＰの直後のＧＯＰの最後で切り替えを行うように構成したので、画像の変化が激しいフレームを含む映像であっても、現用系と予備系の切り替えをシームレスに行うことが可能であるという、優れた特徴を持つ映像ストリーム切り替えシステム、映像ストリーム切り替え方法およびプログラムを提供することにある。
【図面の簡単な説明】
【００３１】
【図１】本発明の基本形態に係る映像ストリーム切り替えシステムの構成について示す説明図である。
【図２】本発明の第１の実施形態に係る映像ストリーム切り替えシステムの構成について示す説明図である。
【図３】図２に示した映像ストリーム切り替えシステムで行われるＴＳ切り替えの動作について説明するタイミングチャートである。画質情報が「画質劣化を引き起こしうる状態でない」場合について示す。
【図４】図２に示した映像ストリーム切り替えシステムで行われるＴＳ切り替えの動作について説明するタイミングチャートである。画質情報が「画質劣化を引き起こしうる状態である」場合について示す。
【図５】図２に示した映像ストリーム切り替えシステムで行われる、図３〜４に示したＴＳ切り替えの動作について説明するフローチャートである。
【図６】本発明の第２の実施形態に係る映像ストリーム切り替えシステムの構成について示す説明図である。
【図７】本発明の実施形態の拡張に係る映像ストリーム切り替えシステムの構成について示す説明図である。
【図８】既存の映像ストリーム切り替えシステムの構成について示す説明図である。
【発明を実施するための形態】
【００３２】
（基本形態）
以下、本発明の基本形態の構成について添付図１に基づいて説明する。
最初に、基本形態の基本的な内容について説明し、その後でより具体的な内容について説明する。
基本形態に係る映像ストリーム切り替えシステム１は、外部から入力される映像信号に対して符号化処理を行ってトランスポートストリームを出力する複数系統のエンコーダ２ａ〜ｂと、各エンコーダから出力されるトランスポートストリームのうちのいずれか一方を選択して切り替え、外部への出力とするＴＳ切り替え手段３とを備え、各エンコーダに、ＴＳ切り替え手段がトランスポートストリームの切り替えを実行すると画質劣化を引き起こしうる状態のフレームが映像信号のＧＯＰ（Group Of Picture）に含まれるか否かを判断する事前解析手段４ａ〜ｂを併設し、外部から系統切り替え指令が入力され、当該系統切り替え指令の行われた時点の映像信号のＧＯＰに画質劣化を引き起こしうる状態のフレームが含まれると事前解析手段が判断した場合に、当該ＧＯＰの直後のＧＯＰでトランスポートストリームの切り替えをＴＳ切り替え手段に実行させる制御手段５を有する。
【００３３】
これによって、この映像ストリーム切り替えシステム１は、画像の変化が激しいフレームを含む映像であっても、現用系と予備系の切り替えをシームレスに行うことができる。
これら各手段のより詳細な構成は、次の第１の実施形態として説明する。
【００３４】
（第１の実施形態）
続いて、本発明の第１の実施形態の構成について添付図２に基づいて説明する。
最初に、本実施形態の基本的な内容について説明し、その後でより具体的な内容について説明する。
本実施形態に係る映像ストリーム切り替えシステム１０は、外部から入力される映像信号に対して符号化処理を行ってトランスポートストリームを出力する複数系統のエンコーダ１１ａ〜ｂと、各エンコーダから出力されるトランスポートストリームのうちのいずれか一方を選択して切り替え、外部への出力とするＴＳ切り替え手段１２とを備え、各エンコーダに、ＴＳ切り替え手段がトランスポートストリームの切り替えを実行すると画質劣化を引き起こしうる状態のフレームが映像信号のＧＯＰ（Group Of Picture）に含まれるか否かを判断する事前解析手段１５ａ〜ｂを併設し、外部から系統切り替え指令が入力され、当該系統切り替え指令の行われた時点の映像信号のＧＯＰに画質劣化を引き起こしうる状態のフレームが含まれると事前解析手段が判断した場合に、当該ＧＯＰの直後のＧＯＰでトランスポートストリームの切り替えをＴＳ切り替え手段に実行させる制御手段１３を有する。
【００３５】
かつ、各エンコーダ１１ａ〜ｂに、事前解析手段による処理に必要な時間だけ映像信号を遅延させてＴＳ切り替え手段に入力する遅延手段１４ａ〜ｂを併設している。また、制御手段１３が、外部から系統切り替え指令が入力された場合に、当該系統切り替え指令の行われた時点の映像信号のＧＯＰに画質劣化を引き起こしうる状態のフレームが含まれているか否かを事前解析手段に判断させる制御を行う事前解析制御機能１３ａと、画質劣化を引き起こしうる状態のフレームが含まれると事前解析手段が判断した場合に、当該ＧＯＰの間は画質を維持する動作をエンコーダに指示するエンコーダ制御機能１３ｂと、当該ＧＯＰの直後のＧＯＰでトランスポートストリームの切り替えをＴＳ切り替え手段に実行させるＴＳ切り替え制御機能１３ｃとを有する。
【００３６】
そして、制御手段１３のエンコーダ制御機能１３ｂが、画質劣化を引き起こしうる状態のフレームが含まれないと事前解析手段が判断した場合には当該ＧＯＰの最後でトランスポートストリームの切り替えが行えるよう符号量を調節する動作をエンコーダに指示し、画質劣化を引き起こしうる状態のフレームが含まれると事前解析手段が判断した場合には当該ＧＯＰの直後のＧＯＰの最後でトランスポートストリームの切り替えが行えるよう符号量を調節する動作をエンコーダに指示するものとした。
【００３７】
以上の構成を備えることにより、この映像ストリーム切り替えシステム１０は、画像の変化が激しいフレームを含む映像であっても、これを検出して現用系と予備系の切り替えをシームレスに行うことができる。
以下、これをより詳細に説明する。
【００３８】
図２は、本発明の第１の実施形態に係る映像ストリーム切り替えシステム１０の構成について示す説明図である。映像ストリーム切り替えシステム１０は、外部から入力される映像信号および同期信号に対して符号化処理を行ってトランスポートストリーム（ＴＳ）を出力する、現用系および予備系としての２系統のエンコーダを備える。これらを各々、現用系としてのエンコーダ１１ａ（ＥＮＣ−Ａ）、予備系としてのエンコーダ１１ｂ（ＥＮＣ−Ｂ）という。
【００３９】
そして、映像ストリーム切り替えシステム１０は、エンコーダ１１ａおよび１１ｂから出力される各々のＴＳのうちのいずれか一方を選択して切り替え、外部への出力とするＴＳ切り替え手段１２と、ＴＳ切り替え手段１２によるＴＳの切り替えの動作を制御する制御手段１３とを備える。
【００４０】
さらに、映像ストリーム切り替えシステム１０は、現用系および予備系の各系統について、映像信号に対して遅延処理を行う遅延手段と、外部から入力される映像信号に対して後述の事前解析を行ってその結果を制御手段１３に出力する事前解析手段とを備える。これらの各々について、現用系、即ちエンコーダ１１ａ（ＥＮＣ−Ａ）側については遅延手段１４ａおよび事前解析手段１５ａという。予備系、即ちエンコーダ１１ｂ（ＥＮＣ−Ｂ）側については遅延手段１４ｂおよび事前解析手段１５ｂという。
【００４１】
事前解析手段１５ａおよび１５ｂは、外部から映像信号および同期信号が入力され、各々同期して動作するものである。そして映像信号について、入力映像の特徴や符号化の難易度などを解析して、その解析結果として後述の画質情報を制御手段１３に出力する。また、制御手段１３からの切り替え制御信号を受け、それに従って動作する。ここでいう画質情報とは、その映像信号のＧＯＰに「切り替え制御の実行時に画質劣化を引き起こしうる状態」のフレームが含まれるか否かを示す情報である。
【００４２】
事前解析手段１５ａおよび１５ｂが検出する「画質劣化を引き起こしうる状態」とは、シーンチェンジ（場面転換）、あるいは一部のスポーツ中継などのように、フレーム間の画像の変化が激しい映像の状態をいう。このような状態がその映像信号のＧＯＰの中に存在するか否かを検出する技術は、たとえば前述の特許文献７などで公知である。遅延手段１４ａおよび１４ｂは、事前解析手段１５ａおよび１５ｂによる処理にかかる分の時間、映像信号を遅延させて出力する。
【００４３】
エンコーダ１１ａおよび１１ｂは、外部から入力される同期信号に従って同期して動作するものであり、遅延手段１４ａおよび１４ｂから出力された映像信号に対してＭＰＥＧ−２やＨ．２６４などのような公知の規格に従って符号化処理を行い、ＴＳを出力する。その際、制御手段１３からの切り替え制御信号および画質制御信号を受け、それに従って動作する。
【００４４】
切り替え制御信号とは、背景技術の欄で説明したように、そのＧＯＰの最後でＴＳの切り替えが可能なように画質を抑制する制御信号である。画質制御信号とは、切り替え制御の後に、画質を保持する（通常符号化と同等の動作をする）符号化処理へ変更する制御信号であるが、詳しくは後述する。
【００４５】
ＴＳ切り替え手段１２にも外部から同期信号が入力され、エンコーダ１１ａおよび１１ｂと同じタイミングで、制御手段１３からの切り替え制御信号によって、外部に出力するＴＳを現用系から予備系に（エンコーダ１１ａから１１ｂに）、もしくは予備系から現用系に切り替えの動作を行う。
【００４６】
制御手段１３は、コンピュータプログラムの実施主体となるプロセッサであり、制御プログラムによって、事前解析手段１５ａおよび１５ｂを制御する事前解析制御機能１３ａ、エンコーダ１１ａおよび１１ｂを制御するエンコーダ制御機能１３ｂ、およびＴＳ切り替え手段１２を制御するＴＳ切り替え制御機能１３ｃの各々として機能する。これら各手段の動作については後述する。
【００４７】
図３および図４は、図２に示した映像ストリーム切り替えシステム１０で行われるＴＳ切り替えの動作について説明するタイミングチャートである。図３は、画質情報が「画質劣化を引き起こしうる状態でない」場合について、図４は画質情報が「画質劣化を引き起こしうる状態である」場合について各々示す。図５は、図２に示した映像ストリーム切り替えシステム１０で行われる、図３〜４に示したＴＳ切り替えの動作について説明するフローチャートである。
【００４８】
図３および図４に示す例では「現用系から予備系に」（エンコーダ１１ａから１１ｂに）ＴＳを切り替える動作について示す。また、事前解析手段１５ａおよび１５ｂによる処理に必要な時間、即ち遅延手段１４ａおよび１４ｂが映像信号を遅延させる遅延時間を１ＧＯＰ（Group Of Picture）としている。この処理の長さは、実際の処理性能などに応じて任意に設定することができる。
【００４９】
制御手段１３に対して系統切り替えの指令が外部から入力されると（ステップＳ１０１）、事前解析制御機能１３ａが事前解析手段１５ａおよび１５ｂに対して切り替え制御信号を発する（ステップＳ１０２）。この制御信号を受けた事前解析手段１５ａおよび１５ｂは、入力される映像信号に対して、切り替え直前までのタイミングの間で、画質劣化を引き起こしうる状態であるか否かを判定し、この判定結果を画質情報として事前解析制御機能１３ａに出力する（ステップＳ１０３）。
【００５０】
このステップＳ１０２〜１０３と並行して、遅延手段１４ａおよび１４ｂはその処理に必要な時間の分、映像信号を遅延させる（ステップＳ１０４）。そして事前解析手段１５ａおよび１５ｂから「画質劣化を引き起こしうる状態である」画質情報が出力されたか否かをエンコーダ制御機能１３ｂが判定する（ステップＳ１０５）。
【００５１】
ステップＳ１０５で「画質劣化を引き起こしうる状態」でなければ、エンコーダ制御機能１３ｂはエンコーダ１１ａおよび１１ｂに切り替え制御信号を発して、遅延手段１４ａおよび１４ｂによって遅延されたタイミングに合わせた切り替え点で、即ち符号量が抑制された状態の動作とする。そしてＴＳ切り替え制御機能１３ｃはその切り替え点で、ＴＳ切り替え手段１２によるＴＳの切り替えを行う（ステップＳ１０６）。
【００５２】
ステップＳ１０５で「画質劣化を引き起こしうる状態」であれば、ＴＳ切り替え制御機能１３ｃは遅延手段１４ａおよび１４ｂによって遅延されたタイミングのＧＯＰでは画質制御信号をエンコーダ１１ａおよび１１ｂを発する。即ち、画質を維持するように、より具体的には「画質劣化を引き起こしうる状態」の画像信号に対して符号量を抑制せずに、エンコーダ１１ａおよび１１ｂを動作させる（ステップＳ１０７）。そしてその１ＧＯＰ後のタイミングを切り替え点として、前述のステップＳ１０６の同一の動作でＴＳの切り替えを行う（ステップＳ１０８）。
【００５３】
図３に示す例では「画質劣化を引き起こしうる状態でない」画質情報が事前解析制御機能１３ａに対して出力された。この場合には、遅延手段１４ａおよび１４ｂが１ＧＯＰ分だけ映像信号を遅延させ、それに対してＴＳ切り替え制御機能１３ｃがその遅延した１ＧＯＰ後のタイミングを切り替え点として設定してＴＳの切り替えを行う。その間、エンコーダ１１ａおよび１１ｂでは、切り替えがＧＯＰの最後と次のＧＯＰの先頭までの間で行えるよう、符号量が適切に調節されるので、設定された切り替え点でスムースに切り替えを行うことができる。
【００５４】
図４に示す例では、入力される映像信号の切り替え直前のタイミングで、シーンチェンジなどのように場面が大きく変化する映像が検出された場合、「画質劣化を引き起こしうる状態である」という画質情報が事前解析制御機能１３ａに対して出力される。この場合には、遅延手段１４ａおよび１４ｂは通常通り１ＧＯＰ分だけ映像信号を遅延させるが、ＴＳ切り替え制御機能１３ｃがその遅延した１ＧＯＰよりもさらに１ＧＯＰ後のタイミングを切り替え点として設定してＴＳの切り替えを行う。
【００５５】
そして、エンコーダ制御機能１３ｂが、エンコーダ１１ａおよび１１ｂに対して画質を低下させない条件での符号化（画質制御信号）を指示する。そして、事前解析制御機能１３ａを介して、事前解析手段１５ａおよび１５ｂから「画質劣化を引き起こしうる状態」のＧＯＰの直後のＧＯＰで画質劣化を引き起こしうる状態ではないという判断結果があれば、そのＧＯＰの最後で切り替えが行えるようにエンコーダ１１ａに符号量を適切に調節させ（エンコーダ制御機能１３ｂ、切り替え制御信号）、そしてそのタイミングでＴＳ切り替え手段１２によるＴＳの切り替えを行う（ＴＳ切り替え制御機能１３ｃ）。
【００５６】
（第１の実施形態の全体的な動作）
次に、上記の実施形態の全体的な動作について説明する。
本実施形態に係る映像ストリーム切り替え方法は、外部から入力される映像信号に対して符号化処理を行ってトランスポートストリームを出力する複数系統のエンコーダと、各エンコーダから出力されるトランスポートストリームのうちのいずれか一方を選択して切り替え、外部への出力とするＴＳ切り替え手段とを備えた、映像ストリーム切り替えシステムにあって、外部から系統切り替え指令が入力された場合に（図５・ステップＳ１０１）、各エンコーダに併設された事前解析手段に対して事前解析制御機能が制御信号を発し（図５・ステップＳ１０２）、当該制御信号を受けた事前解析手段が、ＴＳ切り替え手段がトランスポートストリームの切り替えを実行すると画質劣化を引き起こしうる状態のフレームが映像信号のＧＯＰ（Group Of Picture）に含まれるか否かを判断し（図５・ステップＳ１０３）、画質劣化を引き起こしうる状態のフレームが含まれると事前解析手段が判断した場合に、当該ＧＯＰの間は画質を維持し、当該ＧＯＰの直後のＧＯＰの最後でトランスポートストリームの切り替えが行えるよう符号量を調節する動作をエンコーダ制御機能がエンコーダに指示し（図５・ステップＳ１０７）、符号量を調節したＧＯＰの最後でＴＳ切り替え制御機能がＴＳ切り替え手段にトランスポートストリームの切り替えを行う制御信号を発する（図５・ステップＳ１０８）。
【００５７】
また、画質劣化を引き起こしうる状態のフレームが含まれないと事前解析手段が判断した場合に、当該ＧＯＰの最後でトランスポートストリームの切り替えが行えるよう符号量を調節する動作をエンコーダ制御機能がエンコーダに指示し、符号量を調節したＧＯＰの最後でＴＳ切り替え制御機能がＴＳ切り替え手段にトランスポートストリームの切り替えを行う制御信号を発する（図５・ステップＳ１０６）。
【００５８】
そして、各エンコーダに併設された遅延手段が、事前解析手段による処理に必要な時間だけ映像信号を遅延させてＴＳ切り替え手段に入力する（図５・ステップＳ１０４）。
【００５９】
ここで、上記各動作ステップについては、これをコンピュータで実行可能にプログラム化し、これらを前記各ステップを直接実行するプロセッサである制御手段１３に実行させるようにしてもよい。本プログラムは、非一時的な記録媒体、例えば、ＤＶＤ、ＣＤ、フラッシュメモリ等に記録されてもよい。その場合、本プログラムは、記録媒体からコンピュータによって読み出され、実行される。
この動作により、本実施形態は以下のような効果を奏する。
【００６０】
本実施形態は、「画質劣化を引き起こしうる状態」のＧＯＰでＴＳの切り替えが行われることを回避して、その直後のＧＯＰでＴＳの切り替えを行うものである。従って、空白部分を作るためにエンコーダが「画質を抑制するように」動作しても、前述したような問題は特に発生しない。従って、その空白部分となったＧＯＰ間で、問題無くＴＳを切り替えることが可能となり、その切り替えの際、人間が目で見てわかる程度の画質の劣化は発生しない。
【００６１】
この構成を実現するための各々の要素技術、即ち事前解析手段、遅延手段、およびＴＳ切り替え手段は、いずれも既存の技術により容易に実現可能である。ただ、それらを組み合わせて上記の構成としたことによって、上記の効果を得ることができたという点に、本発明の新規性および進歩性がある。
【００６２】
（第２の実施形態）
本発明の第２の実施形態に係る映像ストリーム切り替えシステム２１０は、エンコーダ１１ａ〜ｂおよび事前解析手段１５ａ〜ｂが、各系統ごとに一体化されたエンコード装置であるものとした。
【００６３】
以上の構成によっても第１の実施形態と同一の効果を得ることが可能である。
以下、これをより詳細に説明する。
【００６４】
図６は、本発明の第２の実施形態に係る映像ストリーム切り替えシステム２１０の構成について示す説明図である。映像ストリーム切り替えシステム２１０は、２系統のエンコード装置２２０ａおよび２２０ｂを備える。エンコード装置２２０ａを現用系、エンコード装置２２０ｂを予備系とする。そして、第１の実施形態と同一のＴＳ切り替え手段１２および制御手段１３を備える。
【００６５】
エンコード装置２２０ａは、第１の実施形態と同一のエンコーダ１１ａ、遅延手段１４ａおよび事前解析手段１５ａを内蔵する。そしてエンコード装置２２０ｂも、第１の実施形態と同一のエンコーダ１１ｂ、遅延手段１４ｂおよび事前解析手段１５ｂを内蔵する。
【００６６】
即ち、映像ストリーム切り替えシステム２１０は、エンコード装置に遅延手段および事前解析手段を内蔵した構成としたものであり、実質的な動作内容、またそれによって得られる効果は第１の実施形態に係る映像ストリーム切り替えシステム１０と同一である。従って、同一の動作をする要素については、同一の名称および参照番号を付して、説明を割愛する。
【００６７】
（実施形態の拡張）
以上、ここまでで述べた各々の実施形態は、その趣旨を改変しない範囲で様々な拡張が可能である。
前述の各実施形態はＭＰＥＧ−２に対してのみ説明してきたが、本実施形態はこれ以外の動画規格、たとえばＨ．２６４／ＭＰＥＧ−４  ＡＶＣなどに対しても適用可能である。
【００６８】
また、図７は、本発明の実施形態の拡張に係る映像ストリーム切り替えシステム３１０の構成について示す説明図である。映像ストリーム切り替えシステム３１０は、第２の実施形態に係る映像ストリーム切り替えシステム２１０と同一の構成であるが、エンコード装置２２０ａ〜ｂが、別のエンコード装置３２０ａ〜ｂに置換されている。エンコード装置３２０ａ〜ｂには、各々別々の映像信号と、同一の同期信号が入力されている。映像信号は、映像自体が別々のものであってもよいし、同一の映像で解像度が違うものでもよい。もちろん、第２の実施形態で説明したものと同様に、エンコード装置３２０ａ〜ｂは各々、エンコーダ、遅延手段および事前解析手段を内蔵したものである。
【００６９】
前述の各実施形態は、現用系および予備系の各エンコーダに同一の映像信号を入力していたが、同期信号が同一であれば、別々の映像信号に対しても画質の劣化を発生させずにＴＳの切り替えが可能である。もちろん、第１の実施形態に係る映像ストリーム切り替えシステム１０を、これと同様に別々の映像信号に対してＴＳの切り替えを行うものとしてもよい。
【００７０】
これまで本発明について図面に示した特定の実施形態をもって説明してきたが、本発明は図面に示した実施形態に限定されるものではなく、本発明の効果を奏する限り、これまで知られたいかなる構成であっても採用することができる。
【００７１】
上述した実施形態について、その新規な技術内容の要点をまとめると、以下のようになる。なお、上記実施形態の一部または全部は、新規な技術として以下のようにまとめられるが、本発明は必ずしもこれに限定されるものではない。
【００７２】
（付記１）  外部から入力される映像信号に対して符号化処理を行ってトランスポートストリームを出力する複数系統のエンコーダと、前記各エンコーダから出力されるトランスポートストリームのうちのいずれか一方を選択して切り替え、外部への出力とするＴＳ切り替え手段とを備え、
前記各エンコーダに、前記ＴＳ切り替え手段が前記トランスポートストリームの切り替えを実行すると画質劣化を引き起こしうる状態のフレームが前記映像信号のＧＯＰ（Group Of Picture）に含まれるか否かを判断する事前解析手段を併設し、
外部から系統切り替え指令が入力され、当該系統切り替え指令の行われた時点の前記映像信号のＧＯＰに前記画質劣化を引き起こしうる状態のフレームが含まれると前記事前解析手段が判断した場合に、当該ＧＯＰの直後のＧＯＰで前記トランスポートストリームの切り替えを前記ＴＳ切り替え手段に実行させる制御手段を有すること、を特徴とする映像ストリーム切り替えシステム。
【００７３】
（付記２）  前記各エンコーダに、前記事前解析手段による処理に必要な時間だけ前記映像信号を遅延させて前記ＴＳ切り替え手段に入力する遅延手段を併設したこと、を特徴とする付記１に記載の映像ストリーム切り替えシステム。
【００７４】
（付記３）  前記制御手段が、
外部から系統切り替え指令が入力された場合に、当該系統切り替え指令の行われた時点の前記映像信号のＧＯＰに前記画質劣化を引き起こしうる状態のフレームが含まれているか否かを前記事前解析手段に判断させる制御を行う事前解析制御機能と、
前記画質劣化を引き起こしうる状態のフレームが含まれると前記事前解析手段が判断した場合に、当該ＧＯＰの間は画質を維持する動作を前記エンコーダに指示するエンコーダ制御機能と、
当該ＧＯＰの直後のＧＯＰで前記トランスポートストリームの切り替えを前記ＴＳ切り替え手段に実行させるＴＳ切り替え制御機能と
を有すること、を特徴とする付記２に記載の映像ストリーム切り替えシステム。
【００７５】
（付記４）  前記制御手段の前記エンコーダ制御機能が、前記画質劣化を引き起こしうる状態のフレームが含まれないと前記事前解析手段が判断した場合には当該ＧＯＰの最後で前記トランスポートストリームの切り替えが行えるよう符号量を調節する動作を前記エンコーダに指示し、前記画質劣化を引き起こしうる状態のフレームが含まれると前記事前解析手段が判断した場合には当該ＧＯＰの直後のＧＯＰの最後で前記トランスポートストリームの切り替えが行えるよう符号量を調節する動作を前記エンコーダに指示すること、を特徴とする付記３に記載の映像ストリーム切り替えシステム。
【００７６】
（付記５）  前記エンコーダおよび前記事前解析手段が、前記各系統ごとに一体化されたエンコード装置であること、を特徴とする付記１に記載の映像ストリーム切り替えシステム。
【００７７】
（付記６）  前記エンコーダ、前記事前解析手段および前記遅延手段が、前記各系統ごとに一体化されたエンコード装置であること、を特徴とする付記２に記載の映像ストリーム切り替えシステム。
【００７８】
（付記７）  外部から入力される映像信号に対して符号化処理を行ってトランスポートストリームを出力する複数系統のエンコーダと、前記各エンコーダから出力されるトランスポートストリームのうちのいずれか一方を選択して切り替え、外部への出力とするＴＳ切り替え手段とを備えた、映像ストリーム切り替えシステムにあって、
外部から系統切り替え指令が入力された場合に、前記各エンコーダに併設された事前解析手段に対して事前解析制御機能が制御信号を発し、
当該制御信号を受けた事前解析手段が、前記ＴＳ切り替え手段が前記トランスポートストリームの切り替えを実行すると画質劣化を引き起こしうる状態のフレームが前記映像信号のＧＯＰ（Group Of Picture）に含まれるか否かを判断し、
前記画質劣化を引き起こしうる状態のフレームが含まれると前記事前解析手段が判断した場合に、当該ＧＯＰの間は画質を維持し、当該ＧＯＰの直後のＧＯＰの最後で前記トランスポートストリームの切り替えが行えるよう符号量を調節する動作をエンコーダ制御機能が前記エンコーダに指示し、
前記符号量を調節したＧＯＰの最後でＴＳ切り替え制御機能が前記ＴＳ切り替え手段に前記トランスポートストリームの切り替えを行う制御信号を発すること、を特徴とする映像ストリーム切り替え方法。
【００７９】
（付記８）  前記画質劣化を引き起こしうる状態のフレームが含まれないと前記事前解析手段が判断した場合に、当該ＧＯＰの最後で前記トランスポートストリームの切り替えが行えるよう符号量を調節する動作を前記エンコーダ制御機能が前記エンコーダに指示し、
前記符号量を調節したＧＯＰの最後で前記ＴＳ切り替え制御機能が前記ＴＳ切り替え手段に前記トランスポートストリームの切り替えを行う制御信号を発すること、を特徴とする付記７に記載の映像ストリーム切り替え方法。
【００８０】
（付記９）  前記各エンコーダに併設された遅延手段が、前記事前解析手段による処理に必要な時間だけ前記映像信号を遅延させて前記ＴＳ切り替え手段に入力すること、を特徴とする付記７に記載の映像ストリーム切り替え方法。
【００８１】
（付記１０）  外部から入力される映像信号に対して符号化処理を行ってトランスポートストリームを出力する複数系統のエンコーダと、前記各エンコーダから出力されるトランスポートストリームのうちのいずれか一方を選択して切り替え、外部への出力とするＴＳ切り替え手段とを備えた、映像ストリーム切り替えシステムにあって、
前記映像ストリーム切り替えシステムが備えるプロセッサに、
外部から系統切り替え指令が入力された場合に、前記各エンコーダに併設された事前解析手段に対して前記ＴＳ切り替え手段が前記トランスポートストリームの切り替えを実行すると画質劣化を引き起こしうる状態のフレームが前記映像信号のＧＯＰ（Group Of Picture）に含まれるか否かを判断する制御信号を発する手順、
前記画質劣化を引き起こしうる状態のフレームが含まれると前記事前解析手段が判断した場合に、当該ＧＯＰの間は画質を維持し、当該ＧＯＰの直後のＧＯＰの最後で前記トランスポートストリームの切り替えが行えるよう符号量を調節する動作を指示する手順、
および前記符号量を調節したＧＯＰの最後で前記ＴＳ切り替え手段に前記トランスポートストリームの切り替えを行う制御信号を発する手順を実行させること、を特徴とする映像ストリーム切り替えプログラム。
【００８２】
（付記１１）  前記画質劣化を引き起こしうる状態のフレームが含まれないと前記事前解析手段が判断した場合に、当該ＧＯＰの最後で前記トランスポートストリームの切り替えが行えるよう符号量を調節する動作を前記エンコーダに指示する手順、
および前記符号量を調節したＧＯＰの最後で前記ＴＳ切り替え手段に前記トランスポートストリームの切り替えを行う制御信号を発する手順をさらに実行させること、を特徴とする付記１０に記載の映像ストリーム切り替えプログラム。
【産業上の利用可能性】
【００８３】
本発明は、ＭＰＥＧ−２やＨ．２６４／ＭＰＥＧ−４  ＡＶＣなどの規格による映像ストリーム信号を扱う放送設備や映像配信設備などにおいて幅広く利用可能である。
【符号の説明】
【００８４】
１、１０、２１０、３１０  映像ストリーム切り替えシステム
２ａ、２ｂ、１１ａ、１１ｂ  エンコーダ
３、１２  ＴＳ切り替え手段
４ａ、４ｂ、１５ａ、１５ｂ  事前解析手段
５、１３  制御手段
１３ａ  事前解析制御機能
１３ｂ  エンコーダ制御機能
１３ｃ  ＴＳ切り替え制御機能
１４ａ、１４ｂ  遅延手段
２２０ａ、２２０ｂ、３２０ａ、３２０ｂ  エンコード装置
【図１】
2014165618.tif 000003
【図２】
2014165618.tif 000004
【図３】
2014165618.tif 000005
【図４】
2014165618.tif 000006
【図５】
2014165618.tif 000007
【図６】
2014165618.tif 000008
【図７】
2014165618.tif 000009
【図８】
2014165618.tif 000010